(57)【要約】【課題】手形・小切手データのデータベースへの入力の効率化、正確性の向上を図る。【解決手段】イメージスキャナー付きＭＩＣＲリーダー１は、手形・小切手の裏表両面のイメージとＭＩＣＲ文字の読み取りを行う。手形管理サーバ本体２１は、読み取ったＭＩＣＲ文字から第一の情報を識別し、読み取ったイメージから第二の情報を識別し、前記イメージデータと前記第一の情報と前記第二の情報を手形・小切手データベース２４へ保存する。次に、手形管理サーバ本体２１は、前記データベース２４における手形・小切手データの第一の情報と記第二の情報との各々のデータを示す入力ボックスと前記イメージデータとをディスプレイ装置２２に表示し、入力ボックスに表示されたデータの補正入力を受け付ける。【選択図】　　　図１
2004030174.tif 000002
【特許請求の範囲】
【請求項１】
手形・小切手データのデータベースへの入力方法において、予め用意した読み取り装置によって前記手形・小切手の裏表両面のイメージとＭＩＣＲ文字の読み取りを行い、読み取った前記ＭＩＣＲ文字から予め決められた第一の情報を識別し、読み取った前記イメージから予め決められた第二の情報を識別し、その後、前記イメージデータと前記第一の情報と前記第二の情報を前記データベースへ保存することを特徴とする手形・小切手データのデータベースへの入力方法。
【請求項２】
前記読み取り装置は、前記イメージをスキャンするスキャナーと前記ＭＩＣＲ文字を読みとるＭＩＣＲリーダーを備えたイメージスキャナー付きＭＩＣＲリーダーであることを特徴とする請求項１記載の手形・小切手データのデータベースへの入力方法。
【請求項３】
前記第一の情報が支払交換所番号、支払金融機関番号、支払支店番号、支払口座番号、手形小切手番号を含んだ情報であることを特徴とする請求項１記載の手形・小切手データのデータベースへの入力方法。
【請求項４】
前記第二の情報が手形小切手番号、支払交換所番号、支払金融機関番号、支払支店番号、支払期日、支払銀行、支払支店、支払人名、金額、カナ支払人名を含んだ情報であることを特徴とする請求項１記載の手形・小切手データのデータベースへの入力方法。
【請求項５】
前記第二の情報が前記イメージのＯＣＲ処理によって得られることを特徴とする請求項１記載の手形・小切手データのデータベースへの入力方法。
【請求項６】
前記データベースにおける前記手形・小切手データの前記第一の情報と前記第二の情報との各々のデータを示す入力ボックスと前記イメージデータとを予め用意したデータ入力画面に表示し、前記入力ボックスに表示されたデータの補正入力を受け付けることを特徴とする請求項１記載の手形・小切手データのデータベースへの入力方法。
【請求項７】
前記データベースにおける前記手形・小切手データの前記第一の情報と前記第二の情報との各々のデータを示す入力ボックスと前記イメージデータとを受入支店毎に予め用意したデータ入力画面に表示し、前記入力ボックスに表示されたデータの補正入力を受け付けるとともに前記受入支店の区切りの場合、その受入支店の入力した前記手形・小切手の枚数・金額の合計を前記データ入力画面に表示し、該合計表示に対する了解入力が成されない限り次の前記受入支店への入力操作を禁止することを特徴とする請求項１記載の手形・小切手データのデータベースへの入力方法。
【請求項８】
表示された前記第一の情報と前記第二の情報の内同じ項目の前記入力ボックスのデータが異なる場合は、その入力ボックスを赤表示することを特徴とする請求項６又は７記載の手形・小切手データのデータベースへの入力方法。
【請求項９】
手形・小切手データのデータベースへの入力方式において、前記手形・小切手の裏表両面のイメージとＭＩＣＲ文字の読み取りを行う読み取り装置と、読み取った前記ＭＩＣＲ文字から予め決められた第一の情報を識別し読み取った前記イメージから予め決められた第二の情報を識別し、前記イメージデータと前記第一の情報と前記第二の情報を前記データベースへ保存する手形管理サーバを含んで構成されることを特徴とする手形・小切手データのデータベースへの入力方式。
【請求項１０】
前記読み取り装置は、前記イメージをスキャンするスキャナーと前記ＭＩＣＲ文字を読みとるＭＩＣＲリーダーを備えたイメージスキャナー付きＭＩＣＲリーダーであることを特徴とする請求項９記載の手形・小切手データのデータベースへの入力方式。
【請求項１１】
前記第一の情報が支払交換所番号、支払金融機関番号、支払支店番号、支払口座番号、手形小切手番号を含んだ情報であることを特徴とする請求項９記載の手形・小切手データのデータベースへの入力方式。
【請求項１２】
前記第二の情報が手形小切手番号、支払交換所番号、支払金融機関番号、支払支店番号、支払期日、支払銀行、支払支店、支払人名、金額、カナ支払人名を含んだ情報であることを特徴とする請求項９記載の手形・小切手データのデータベースへの入力方式。
【請求項１３】
前記第二の情報が前記イメージのＯＣＲ処理によって得られることを特徴とする請求項９記載の手形・小切手データのデータベースへの入力方式。
【請求項１４】
前記データベースにおける前記手形・小切手データの前記第一の情報と前記第二の情報との各々のデータを示す入力ボックスと前記イメージデータとを表示するデータ入力画面と、前記入力ボックスに表示されたデータの補正入力を受け付ける前記手形管理サーバを含んで構成されることを特徴とする請求項９記載の手形・小切手データのデータベースへの入力方式。
【請求項１５】
前記データベースにおける前記手形・小切手データの前記第一の情報と前記第二の情報との各々のデータを示す入力ボックスと前記イメージデータとを受入支店毎に表示するデータ入力画面と、前記入力ボックスに表示されたデータの補正入力を受け付けるとともに前記受入支店の区切りの場合、その受入支店の入力した前記手形・小切手の枚数・金額の合計を前記データ入力画面に表示し、該合計表示に対する了解入力が成されない限り次の前記受入支店への入力操作を禁止する前記手形管理サーバを含んで構成されることを特徴とする請求項９記載の手形・小切手データのデータベースへの入力方式。
【請求項１６】
表示された前記第一の情報と前記第二の情報の内同じ項目の前記入力ボックスのデータが異なる場合は、その入力ボックスを赤表示する前記手形管理サーバを含んで構成されることを特徴とする請求項１４又は１５記載の手形・小切手データのデータベースへの入力方式。
【発明の詳細な説明】
【０００１】
【発明の属する技術分野】
本発明は金融機関における手形・小切手データのデータベースへの入力方法及び手形・小切手データのデータベースへの入力方式に関し、特に、イメージスキャナー付きＭＩＣＲリーダーを用いて手形・小切手のイメージをコンピュータに取り込み、手形・小切手を期日管理する際のコンピュータへのデータ入力を容易にする手形・小切手データのデータベースへの入力方法及び手形・小切手データのデータベースへの入力方式に関する。
【０００２】
【従来の技術】
手形は振出人が金額、支払期日などを書き込んで振り出され、手形の受取人はこの手形を支払場所として記載されている金融機関に呈示することによって、手形金額の支払いを受ける。しかし受取人が直接支払金融機関に出向くのはたいへんであるため、通常、自分の取引金融機関に取立委任する。委任を受けた金融機関は、支払期日に支払金融機関からその分のお金を取り立てて、受取人（金融機関に取立依頼したので、以下依頼人とする）の預金口座に入金する。取立委任された金融機関（手形を受入たので、以下受入金融機関とする。同様に受け入れた支店を受入支店とする）は、他の金融機関がその手形の支払場所となっている場合、支払金融機関が同一地域なら手形交換で決済を行い、支払金融機関が他地域なら手形を支払金融機関に郵送し取立を行う。
【０００３】
手形の取立処理を行い、依頼人の預金口座に入金するために手形を管理することを手形の「期日管理」と呼ぶ。通常、金融機関には期日管理を行う専門の部署があり、受入支店は受け入れた手形をその部署に送付し、期日管理を委託する。期日管理を行うために、先ず手形の情報をデータベースに登録する。登録する手形のデータ項目は支払地の支払交換所番号、支払金融機関番号、支払支店番号、支払口座番号、支払人名、手形小切手番号、依頼人番号、受入金融機関番号、受入支店番号、入金科目、入金口座番号、手形種類、支払期日、取立番号、金額である。ここで依頼人番号とは受入金融機関が自金融機関に口座を持っている人を管理するために割り当てた番号である。入金科目、入金口座番号は依頼人の預金口座の科目、口座番号である。手形種類とは代金取立手形、商業手形（割引手形）、担保手形等の種別である。取立番号とは受入金融機関が受け入れた手形に割り当てた番号である。
【０００４】
図５は金融機関が受け入れた手形を示すものである。この図５において、ａは手形小切手番号、ｂは支払交換所番号および支払交換所名および支払金融機関番号および支払支店番号、ｃは支払期日、ｄは支払地、ｅは支払銀行および支払支店、ｆは振出日、ｇは振出地住所、ｈは支払人名、ｉは金額の記入欄、ｊはカタカナの支払人名、ｋはＭＩＣＲ（注）印字欄であり、支払交換所番号、支払銀行番号、支払支店番号、支払口座番号、手形小切手番号が印字してある。
【０００５】
（注）ＭＩＣＲ：Ｍａｇｎｅｔｉｃ　Ｉｎｋ　Ｃｈａｒａｃｔｅｒ　Ｒｅｃｏｇｎｉｔｉｏｎ。手形・小切手の下縁（クリアバンド）に磁気インクで印字された機械処理用の数字・記号列で、銀行交付の小切手用紙や手形用紙には、支払交換所番号・支払金融機関番号・支払支店番号・支払口座番号・手形小切手番号があらかじめ印字されている。
【０００６】
ＭＩＣＲ印字欄は、従来はＭＩＣＲリーダーを用いて支払交換所番号・支払金融機関番号・支払支店番号・支払口座番号・手形小切手番号を読み取り、それ以外の項目は手形の現物を見ながらコンピュータに入力していた。
【０００７】
また、このとき、オペレータは、ＭＩＣＲ印字欄の項目と手形・小切手の各部位に記載された項目とを目視によって比較し、確認していた。
【０００８】
【発明が解決しようとする課題】
しかし、上述した従来の手形・小切手のデータ入力方法には次のような問題点があった。
【０００９】
コンピュータに手形・小切手のデータ入力するときには、支払交換所番号、支払金融機関番号、支払支店番号、支払口座番号、手形小切手番号がＭＩＣＲ印字されており、ＭＩＣＲリーダーで読取ることによって、コンピュータに自動入力することができる。しかし、その他の項目は手形・小切手の現物を見ながらコンピュータに入力する必要があった。手形・小切手は有価証券であるため、データ入力するオペレータは常に手形・小切手の紛失、盗難、汚損への細心の注意を払っており、心身への疲労を感じている点である。また、手形・小切手のデータ入力するには、手形・小切手のどの部位にどの項目が記載されているかという、知識・経験が必要であり、熟練したオペレータでないと入力が難しいという点である。
【００１０】
また、ＭＩＣＲ印字欄は、機械処理用の数字・記号列であって、最も重要な情報であるため印字ミスなどの誤りがあってはならない。しかし、従来は、オペレータが目視によって確認していたため、見逃しの可能性もあり、またオペレータの負担が増大するという問題があった。
【００１１】
本発明の目的は以上の問題点を解決するため、手形・小切手のイメージに対してＯＣＲ処理した結果に対して、ディスプレイに表示されたイメージを確認しながらの補正入力だけで済むようにした手形・小切手のデータ入力方法及び手形・小切手のデータ入力方式を提供することにある。
【００１２】
【課題を解決するための手段】
本願の第１の発明は、手形・小切手データのデータベースへの入力方法において、予め用意した読み取り装置によって前記手形・小切手の裏表両面のイメージとＭＩＣＲ文字の読み取りを行い、読み取った前記ＭＩＣＲ文字から予め決められた第一の情報を識別し、読み取った前記イメージから予め決められた第二の情報を識別し、その後、前記イメージデータと前記第一の情報と前記第二の情報を前記データベースへ保存することを特徴とする。
【００１３】
本願の第２の発明は、第１の発明の前記読み取り装置は、前記イメージをスキャンするスキャナーと前記ＭＩＣＲ文字を読みとるＭＩＣＲリーダーを備えたイメージスキャナー付きＭＩＣＲリーダーであることを特徴とする。
【００１４】
本願の第３の発明は、第１の発明の前記第一の情報が支払交換所番号、支払金融機関番号、支払支店番号、支払口座番号、手形小切手番号を含んだ情報であることを特徴とする。
【００１５】
本願の第４の発明は、第１の発明の前記第二の情報が手形小切手番号、支払交換所番号、支払金融機関番号、支払支店番号、支払期日、支払銀行、支払支店、支払人名、金額、カナ支払人名を含んだ情報であることを特徴とする。
【００１６】
本願の第５の発明は、第１の発明の前記第二の情報が前記イメージのＯＣＲ処理によって得られることを特徴とする。
【００１７】
本願の第６の発明は、第１の発明の前記データベースにおける前記手形・小切手データの前記第一の情報と前記第二の情報との各々のデータを示す入力ボックスと前記イメージデータとを予め用意したデータ入力画面に表示し、前記入力ボックスに表示されたデータの補正入力を受け付けることを特徴とする。
【００１８】
本願の第７の発明は、第１の発明の前記データベースにおける前記手形・小切手データの前記第一の情報と前記第二の情報との各々のデータを示す入力ボックスと前記イメージデータとを受入支店毎に予め用意したデータ入力画面に表示し、前記入力ボックスに表示されたデータの補正入力を受け付けるとともに前記受入支店の区切りの場合、その受入支店の入力した前記手形・小切手の枚数・金額の合計を前記データ入力画面に表示し、該合計表示に対する了解入力が成されない限り次の前記受入支店への入力操作を禁止することを特徴とする。
【００１９】
本願の第８の発明は、第６又は７の発明で表示された前記第一の情報と前記第二の情報の内同じ項目の前記入力ボックスのデータが異なる場合は、その入力ボックスを赤表示することを特徴とする。
【００２０】
本願の第９の発明は、手形・小切手データのデータベースへの入力方式において、前記手形・小切手の裏表両面のイメージとＭＩＣＲ文字の読み取りを行う読み取り装置と、読み取った前記ＭＩＣＲ文字から予め決められた第一の情報を識別し読み取った前記イメージから予め決められた第二の情報を識別し、前記イメージデータと前記第一の情報と前記第二の情報を前記データベースへ保存する手形管理サーバを含んで構成されることを特徴とする。
【００２１】
本願の第１０の発明は、第９の発明の前記読み取り装置は、前記イメージをスキャンするスキャナーと前記ＭＩＣＲ文字を読みとるＭＩＣＲリーダーを備えたイメージスキャナー付きＭＩＣＲリーダーであることを特徴とする。
【００２２】
本願の第１１の発明は、第９の発明の前記第一の情報が支払交換所番号、支払金融機関番号、支払支店番号、支払口座番号、手形小切手番号を含んだ情報であることを特徴とする。
【００２３】
本願の第１２の発明は、第９の発明の前記第二の情報が手形小切手番号、支払交換所番号、支払金融機関番号、支払支店番号、支払期日、支払銀行、支払支店、支払人名、金額、カナ支払人名を含んだ情報であることを特徴とする。
【００２４】
本願の第１３の発明は、第９の発明の前記第二の情報が前記イメージのＯＣＲ処理によって得られることを特徴とする。
【００２５】
本願の第１４の発明は、第９の発明の前記データベースにおける前記手形・小切手データの前記第一の情報と前記第二の情報との各々のデータを示す入力ボックスと前記イメージデータとを表示するデータ入力画面と、前記入力ボックスに表示されたデータの補正入力を受け付ける前記手形管理サーバを含んで構成されることを特徴とする。
【００２６】
本願の第１５の発明は、第９の発明の前記データベースにおける前記手形・小切手データの前記第一の情報と前記第二の情報との各々のデータを示す入力ボックスと前記イメージデータとを受入支店毎に表示するデータ入力画面と、前記入力ボックスに表示されたデータの補正入力を受け付けるとともに前記受入支店の区切りの場合、その受入支店の入力した前記手形・小切手の枚数・金額の合計を前記データ入力画面に表示する前記手形管理サーバを含んで構成されることを特徴とする。
【００２７】
本願の第１６の発明は、第１４又は１５の発明で表示された前記第一の情報と前記第二の情報の内同じ項目の前記入力ボックスのデータが異なる場合は、その入力ボックスを赤表示し、該合計表示に対する了解入力が成されない限り次の前記受入支店への入力操作を禁止する前記手形管理サーバを含んで構成されることを特徴とする。
【００２８】
「作用」
本発明は、金融機関においてイメージスキャナー付きＭＩＣＲリーダーを用いて手形・小切手のイメージをコンピュータに取り込み、手形・小切手を期日管理する際のコンピュータへのデータ入力の容易にする方式を提供するものである。
【００２９】
まず、イメージスキャナー付きＭＩＣＲリーダーを用いて手形の両面イメージとＭＩＣＲを読み取り、手形のイメージをＯＣＲソフト（Ｏｐｔｉｃａｌ　Ｃｈａｒａｃｔｅｒ　Ｒｅａｄｅｒソフト：光学的文字読取ソフト）で処理することにより、従来コンピュータに手で入力していた項目を自動認識・入力する。
【００３０】
先ずはじめにイメージスキャナー付きＭＩＣＲリーダーを用いて手形・小切手のイメージの事前取り込みを行う。図１において、イメージスキャナー付きＭＩＣＲリーダー１で対象となる手形・小切手の両面イメージとＭＩＣＲ文字を読み取る。イメージスキャナー付きＭＩＣＲリーダー１で読み取ったイメージをＯＣＲソフトで図５のａ〜ｊの各項目を認識し、手形の両面イメージとａ〜ｊの各項目のＯＣＲ認識結果を手形管理サーバー２の手形・小切手データベース２４に蓄積する。また、読み取ったＭＩＣＲ文字から支払交換所番号、支払金融機関番号、支払支店番号、支払口座番号、手形小切手番号を識別し、手形管理サーバー２の手形・小切手データベース２４に蓄積する。
【００３１】
対象となる手形・小切手のイメージとＭＩＣＲ文字の事前取り込みが終了したら、手形・小切手データベース２４にさらに必要項目の追加入力とＯＣＲ認識結果の補正を行う。ここで追加入力項目とは、依頼人番号、手形種類、取立番号である。これらの項目は手形の受入支店が手形を期日管理する部署に送付する際に、手形の表面の空いている場所に手書きしたりするもので、ＯＣＲ処理することが困難な項目である。
【００３２】
手形管理サーバ２のディスプレイ装置２２に手形・小切手の両面イメージを表示し、表示されたイメージを見ながらＯＣＲ結果の確認と追加入力を行う。また、支払交換所番号、支払金融機関番号、支払支店番号、手形小切手番号に関しては、ディスプレイ装置２２にＯＣＲとＭＩＣＲのそれぞれで認識した結果を表示する。認識結果が違う場合は赤色で表示し補正入力を促す。
【００３３】
【発明の実施の形態】
次に、本発明の実施の形態について図面を参照して詳細に説明する。
【００３４】
図１は、本発明の一実施の形態を示すブロック図である。
【００３５】
図１を参照すると、本実施の形態は、イメージスキャナー付きＭＩＣＲリーダー１と、手形管理サーバ２とを含む。イメージスキャナー付きＭＩＣＲリーダー１は手形・小切手の表裏両面のイメージをスキャンする機能と、手形・小切手のＭＩＣＲ文字を読み取る機能を有する。手形管理サーバ２は手形管理サーバ本体２１とディスプレイ装置２２とディスク装置２３を含む。ディスク装置２３には手形・小切手データベース２４を含む。手形管理サーバ２１はイメージスキャナー付きＭＩＣＲリーダー１によって読み取った手形・小切手のイメージに対するＯＣＲソフトの機能を有する。手形・小切手データベース２４の項目は両面イメージ、支払交換所番号、支払金融機関番号、支払支店番号、支払口座番号、手形小切手番号、依頼人番号、受入金融機関番号、受入支店番号、入金科目、入金口座番号、支払人名、カナ支払人名、手形種類、支払期日、取立番号、金額とＭＩＣＲ文字から認識した支払交換所番号、支払金融機関番号、支払支店番号、支払口座番号、手形小切手番号である。
【００３６】
次に、本発明の実施の形態の動作について図面を参照して説明する。
【００３７】
手形・小切手のイメージ処理によるデータ入力はイメージ、ＭＩＣＲ文字の事前取込処理と、手形・小切手データベースへの不足項目の入力とＯＣＲ認識結果補正処理の２つの処理がある。
【００３８】
まず事前取込処理について図１、図２、図５を参照して説明する。対象となる手形・小切手をイメージスキャナー付きＭＩＣＲリーダー１にセットすると、イメージスキャナー付きＭＩＣＲリーダー１に未読の手形・小切手がなくなるまで、手形・小切手の裏表両面のイメージスキャンとＭＩＣＲ文字の読み取りを繰り返す（図２のステップＡ２、Ａ３）。読み取ったイメージとＭＩＣＲ文字は順次、手形管理サーバ２へ送信される（図２のステップＡ４）。ＭＩＣＲ文字は数字・記号の文字列データであるので、データを識別する必要がある。手形管理サーバ本体２１はＭＩＣＲ文字から支払交換所番号、支払金融機関番号、支払支店番号、支払口座番号、手形小切手番号を識別する（図２のステップＡ５）。また、イメージは図５のａ〜ｊに対してＯＣＲソフトで処理を行う（図２のステップＡ６）。その後、イメージデータとＭＩＣＲ文字から認識した支払交換所番号、支払金融機関番号、支払支店番号、支払口座番号、手形小切手番号と、イメージのＯＣＲによって認識した手形小切手番号、支払交換所番号、支払金融機関番号、支払支店番号、支払期日、支払銀行、支払支店、支払人名、金額、カナ支払人名を手形・小切手データベース２４へ保存する（図２のステップＡ７）。
【００３９】
以上で事前取込処理は終了である。次に、図１、図３を参照して、入力処理の説明をする。
【００４０】
入力処理を開始するとデータ入力画面がディスプレイ装置２２に表示される（図３のステップＢ２）。データ入力画面には事前取込処理で取り込んだ手形・小切手の両面イメージと手形・小切手データベース２４に対応する入力ボックスを表示し（図３のステップＢ４）、手形・小切手データベース２４の内容を初期表示する（図３のステップＢ５）。支払交換所番号、支払金融機関番号、支払支店番号、支払口座番号、手形小切手番号の入力ボックスはそれぞれ２つずつ表示され、１つは事前取込処理でＭＩＣＲ文字から識別したデータが初期表示され、もう１つにはＯＣＲ認識されたデータが初期表示する。ここで、ＭＩＣＲ文字から識別したデータとＯＣＲ認識されたデータが違う場合、その入力ボックスを赤表示し、ディスプレイ装置２３に表示したイメージを確認し、正しいデータの入力を促す。その他の項目についても、表示されたイメージを確認し、各入力ボックスに初期表示されたデータが正しいか確認する。間違っていれば補正入力を促す（図３のステップＢ６）。また、依頼人番号、手形種類、取立番号についてはＯＣＲ処理を行っていないので、ディスプレイ装置２２に表示された手形・小切手のイメージを確認しながら入力する。全ての入力ボックスにデータを入力すると、手形・小切手データベース２４に入力データを保存する（図３のステップＢ７）。データ入力画面には次の手形・小切手イメージが表示される。この処理は未入力の手形・小切手データがなくなるまで繰り返す（図３のステップＢ３）。
【００４１】
次に、本発明の他の実施の形態について図１、図４を参照して説明する。
【００４２】
図４を参照すると、本実施の形態は入力処理において、受入支店の合計金額をチェックする点が図３と異なる。図４のステップＣ１からステップＣ７までは、図３のステップＢ１からステップＢ７までとほぼ同じ手順である。違う点はＣ３、Ｃ４で未入力の手形・小切手がある場合に手形・小切手のイメージと入力ボックスの表示順番が、受入支店順であることである。受入支店順に表示するには事前取込処理時に受入支店順に手形・小切手を読み取らせる必要がある。
【００４３】
ステップＣ７にてデータを手形・小切手データベース２４に保存した後に、その手形・小切手が受入支店の区切りかどうかをチェックする（図４のステップＣ８）。区切りでないならばステップＣ３に戻り次の手形・小切手データの入力画面になる。受入支店の区切りの場合、その受入支店の入力した枚数・金額の合計をディスプレイ装置２２に表示する（図４のステップＣ９）。受入支店から「期日管理」を行う部署に手形・小切手が送られてくるときに、合計枚数と合計金額を書いた伝票を同封してもらう。その伝票の合計枚数・金額と、表示された合計枚数・金額が合っているかをオペレータが確認する（図４のステップＣ１０）。合っていれば引き続き次の受入支店の手形・小切手データの入力に移る。合っていない場合、入力した画面をディスプレイ装置２２に再表示し、金額入力が間違っていないか確認・修正する（図４のステップ１１）。受入支店毎の合計枚数・金額が合わないと次の受入支店のデータ入力に移れない。本実施例により、金額の入力ミスの防止ができる。また、入力ミスが受入支店毎に発見できるため、入力修正が容易である。
【００４４】
【発明の効果】
以上説明したように、本発明は、手形・小切手の現物を扱うのは事前取込処理だけであること、また今までは手形・小切手の現物を１枚１枚見ながら行っていた煩雑なデータ入力処理が、手形・小切手のイメージに対してＯＣＲ処理した結果に対して、ディスプレイに表示されたイメージを確認しながらの補正入力だけで済むようにしたことにより、手形・小切手データ入力の効率化、正確性の向上ができる効果がある。また、ＯＣＲ処理中にＭＩＣＲ印字欄の正確性の確認機能を設けたことにより、同印字欄の信頼性の向上を容易に達成できる効果もある。
【図面の簡単な説明】
【図１】本発明の一実施の形態を示すブロック図である。
【図２】本発明の事前取込処理の一実施の形態を示す動作フロー図である。
【図３】本発明の入力処理の一実施の形態を示す動作フロー図である。
【図４】本発明の入力処理の他の実施の形態を示す動作フロー図である。
【図５】約束手形の見本図である。
【符号の説明】
１　　イメージスキャナー付きＭＩＣＲリーダー
２　　手形管理サーバ
２１　　手形管理サーバ本体
２２　　ディスプレイ装置
２３　　ディスク装置
２４　　手形・小切手データベース
【図１】
2004030174.tif 000003
【図２】
2004030174.tif 000004
【図３】
2004030174.tif 000005
【図４】
2004030174.tif 000006
【図５】
2004030174.tif 000007